(57)【要約】【課題】複数のスピーカーの音声出力を管理しつつ、より確実且つ容易に各スピーカーの音声出力の調整を行う。【解決手段】放送システム１は、複数のスピーカー２０の音声出力を管理する放送システムであって、端末装置５０を含む。端末装置５０は、第１音声信号にスピーカー２０を識別する第１識別情報ＩＤ１を埋め込んだ第２音声信号をスピーカー２０から収音し、第２音声信号から抽出された第１識別情報ＩＤ１を取得し、取得した第１識別情報ＩＤ１により特定されるスピーカー２０の音声出力の変更を指示するためのインターフェースを表示部に表示する。【選択図】図１０
2020068403.tif 000002
【特許請求の範囲】
【請求項１】
複数のスピーカーの音声出力を管理する放送システムであって、
第１音声信号に、各スピーカーを識別する第１識別情報を埋め込んだ第２音声信号を取得し、前記第２音声信号を前記第１識別情報に対応するスピーカーに出力し、前記スピーカーの音声出力を調整する放送装置と、
前記放送装置から前記第２音声信号を収音し、前記第２音声信号から抽出された前記第１識別情報を取得し、取得した前記第１識別情報により特定されるスピーカーの音声出力の変更を指示する端末装置と、
を備える、放送システム。
【請求項２】
前記スピーカーの音声出力の変更は、少なくとも音量の変更を含む、
請求項１に記載の放送システム。
【請求項３】
前記端末装置は、前記特定されたスピーカーの音声出力の変更を操作するためのインターフェースを表示する表示部を有する、
請求項１又は２に記載の放送システム。
【請求項４】
前記インターフェースは、前記特定されたスピーカーの位置情報を含む、
請求項３に記載の放送システム。
【請求項５】
更に、前記端末装置と通信可能に接続される管理装置を備え、
前記管理装置は、
前記複数のスピーカーの第１識別情報と各スピーカーの位置情報とを対応付けたスピーカー情報を記憶し、
前記端末装置の要求に応じて、前記スピーカー情報を前記端末装置に送信する、
請求項１から４のいずれかに記載の放送システム。
【請求項６】
前記管理装置は、前記端末装置の指示を受信し、前記指示に応じて、前記放送装置に対し前記特定されたスピーカーの音声出力の変更を指示する、
請求項５に記載の放送システム。
【請求項７】
第１音声信号にスピーカーを識別する第１識別情報を埋め込んだ第２音声信号を前記スピーカーから収音し、
前記第２音声信号から抽出された前記第１識別情報を取得し、
取得した前記第１識別情報により特定されるスピーカーの音声出力の変更を指示するためのインターフェースを表示部に表示する、
機能をコンピュータに実行させるためのプログラム。
【請求項８】
前記複数のスピーカーの第１識別情報と前記複数のスピーカーの位置情報とを対応づけたスピーカー情報を取得し、
前記第２音声信号から前記第１識別情報を抽出し、
抽出した前記第１識別情報と前記スピーカー情報とに基づき前記音声出力の変更を指示するスピーカーを特定する、
機能をコンピュータに実行させるための、請求項７に記載のプログラム。
【発明の詳細な説明】
【技術分野】
【０００１】
本発明は、放送システム及びコンピュータプログラムに関する。
【背景技術】
【０００２】
商業施設や公共施設、交通機関の車内での放送システムとして、複数のスピーカーの出力を一括して管理するＰＡ（パブリックアドレス）システムが導入されている。
【先行技術文献】
【特許文献】
【０００３】
【特許文献１】特開２００９−２５３４２１号公報
【発明の概要】
【発明が解決しようとする課題】
【０００４】
かかるＰＡシステムにおいては、スピーカーの設置場所によっては、音声出力が聞き取りにくかったり、逆に音声出力がうるさ過ぎたりする等、個別に音量を調整する必要がある。しかし、例えば、システムのネットワークを介して各スピーカーの音声出力を調整する場合、操作者は、操作対象のスピーカーを間違える可能性があったり、音声出力の調整を指示した結果をすぐに確認できない可能性があったりする。特に多数のスピーカーを設置する施設や交通機関においては、各スピーカーの音声出力を個別に調整することは煩雑となる。
【０００５】
上述した観点に鑑み、本発明の目的は、複数のスピーカーの音声出力を管理しつつ、より確実且つ容易に各スピーカーの音声出力の調整を行うことができる放送システム及びコンピュータプログラムを提供することである。
【課題を解決するための手段】
【０００６】
上記課題を解決するため、本発明の一の観点によれば、放送システムは、複数のスピーカーの音声出力を管理する放送システムであって、放送装置と、端末装置とを備える。放送装置は、第１音声信号に、各スピーカーを識別する第１識別情報を埋め込んだ第２音声信号を取得し、第２音声信号を第１識別情報に対応するスピーカーに出力し、スピーカーの音声出力を調整する。端末装置は、放送装置から第２音声信号を収音し、第２音声信号から抽出された第１識別情報を取得し、取得した第１識別情報により特定されるスピーカーの音声出力の変更を指示する。
【０００７】
本発明の他の観点によれば、コンピュータプログラムは、第１音声信号にスピーカーを識別する第１識別情報を埋め込んだ第２音声信号をスピーカーから収音し、第２音声信号から抽出された第１識別情報を取得し、取得した第１識別情報により特定されるスピーカーの音声出力の変更を指示するためのインターフェースを表示部に表示する機能をコンピュータに実行させる。
【発明の効果】
【０００８】
本発明に係る放送システム及びコンピュータプログラムによれば、複数のスピーカーの音声出力を管理しつつ、より確実且つ容易に各スピーカーの音声出力の調整を行うことができる。
【図面の簡単な説明】
【０００９】
【図１】一実施形態に係る放送システムの全体構成を示す図。
【図２】一実施形態に係る放送装置の構成を示す図。
【図３】一実施形態に係る管理装置の構成を示す図。
【図４】スピーカー情報の例を示す図。
【図５】一実施形態に係る端末装置の構成を示す図。
【図６】同端末装置の表示部による表示例を示す図。
【図７】放送装置の動作を示すフローチャート。
【図８】音声透かし処理の説明図。
【図９】管理装置の動作を示すフローチャート。
【図１０】端末装置の動作を示すフローチャート。
【発明を実施するための形態】
【００１０】
（実施の形態）
以下、本発明の一実施形態における放送システムの構成及びその機能について説明する。放送システムは、商業施設や公共施設、電車やバス等の交通機関内に適用される放送システムであり、各スピーカーの音声出力を調整できるシステムである。
【００１１】
（１−１．構成）
（１−１−１．放送システムの構成）
図１に示すように、放送システム１は、それぞれに複数のスピーカー２０が接続される放送装置１０と、ユーザが携帯し、近くのスピーカー２０からの音声信号を収音可能な端末装置５０と、放送装置１０及び端末装置５０とネットワークＮＷを介して通信可能な管理装置３０とを備える。ネットワークＮＷは、移動体通信網、施設や交通機関内のＬＡＮ、インターネット等の通信網である。
【００１２】
各放送装置１０は、例えば図２に示すように４つのチャンネルを有し、４つのスピーカー２０に接続される。なお、図示は省略するが、建物の１階１Ｆ〜３階３Ｆには設置されるスピーカー２０の数に合わせて複数の放送装置１０が接続される。
【００１３】
図１に示すように、例えば、１階１Ｆでは、スピーカー２０ａからの音声を、近くにある端末装置５０ａが収音する。３階３Ｆでは、スピーカー２０ｂからの音声を、近くにある端末装置５０ｂが収音する。端末装置５０は、各階にいるユーザの人数に対応して複数ある場合もある。
【００１４】
（１−１−２．放送装置の構成）
図２は、放送装置１０の構成を概略的に示す。放送装置１０は、所定の音源データやマイク（図示省略）を介して入力される放送音をスピーカー２０に出力させるとともに、スピーカー２０の音声出力を調整する。放送装置１０は、プロセッサ１１、記憶部１３、Ｄ／Ａ変換部１５、アンプ１６、及び通信部１７を備える。
【００１５】
プロセッサ１１は、ＣＰＵ、ＤＳＰ等の信号処理回路である。プロセッサ１１は、ＲＯＭ（図示省略）や記憶部１３に記憶されたプログラムをＲＡＭ（図示省略）に読み出して実行することにより、放送装置１０の各部を制御する。プロセッサ１１は、プログラムに従って、例えば、音声透かし処理部１１１、音声取得部１１３、及び音声出力制御部１１５の機能を実行する。音声透かし処理部１１１は、後述するように、音声データから得た第１音声信号に、各スピーカー２０の識別情報ＩＤ１（第１識別情報の一例）を埋め込む処理を実行する。音声取得部１１３は、音声透かし処理部１１１の埋め込み処理により生成される第２音声信号を取得する。音声出力制御部１１５は、取得された第２音声信号を、対応するスピーカー２０から出力させる。音声出力制御部１１５はまた、後述するように、管理装置３０からの指示に応じてスピーカー２０からの音声出力を変更する。
【００１６】
記憶部１３は、半導体メモリや磁気ディスク等により構成され、音声データ記憶部１３１と、スピーカー情報記憶部１３３とを含む。音声データ記憶部１３１は、予め決められた放送内容に相当する音声データや、マイクを介して入力された音声データを記憶する。音声データは、例えば、施設内の案内情報や避難情報に相当する。スピーカー情報記憶部１３３は、放送装置１０に接続される各スピーカー２０の識別情報を記憶する。
【００１７】
通信部１７は、ネットワークＮＷに接続するためのインターフェースであり、例えばネットワークカード等である。通信部１７は、ＬＡＮ等の施設内のネットワークを介してインターネットに接続される。
【００１８】
なお、放送装置１０は、単体のコンピュータ装置に限定されず、複数のコンピュータ装置を含んでいてもよい。
【００１９】
放送装置１０はまた、１つのチャンネルのみ備え、一つのスピーカー２０に接続されるものであってもよい。この場合、スピーカー２０は、放送装置１０と一体化された形態であってもよい。
【００２０】
（１−１−３．管理装置の構成）
図３は、管理装置３０の構成を概略的に示す。管理装置３０は、サーバとして機能するコンピュータ装置であり、端末装置５０からの指示に応じて、放送装置１０によるスピーカー２０への音声出力の制御を指示する。管理装置３０は、プロセッサ３１、記憶部３３、及び通信部３７を備える。
【００２１】
プロセッサ３１は、ＣＰＵ、ＤＳＰ等の信号処理回路である。プロセッサ３１は、ＲＯＭ（図示省略）や記憶部３３に記憶されたプログラムをＲＡＭ（図示省略）に読み出して実行することにより、管理装置３０の各部を制御する。プロセッサ３１は、例えば、プログラムに従って、スピーカー情報送信部３１１、音声出力制御指示部３１３、及び音声状態更新部３１５の機能を実行する。スピーカー情報送信部３１１は、端末装置５０の要求に応じて、スピーカー情報テーブル３３１を端末装置５０に送信する。音声出力制御指示部３１３は、端末装置５０からの指示に応じて、スピーカー２０の音声出力を制御する指示を生成し、ネットワークＮＷを介して放送装置１０に送信する。この音声出力制御指示は、端末装置５０からの指示により、特定された操作対象のスピーカー２０の識別情報ＩＤ１と、変更される音声出力のパラメータとを含む。音声状態更新部３１５は、後述するように、音声状態記憶部３３３に記憶される音声状態を更新する。
【００２２】
スピーカー２０の音声出力を変更することは、例えば、音量の変更、イコライザによる音声出力の調整、コンプレッサ又は／及びリミッタによる音声出力の調整、音声出力のＯＮとＯＦＦの少なくとも一つを含む。
【００２３】
記憶部３３は、半導体メモリや磁気ディスク等により構成され、スピーカー情報テーブル３３１を記憶する。記憶部３３はまた、各スピーカーの音声状態を示す情報を記憶する音声状態記憶部３３３を含む。スピーカー情報テーブル３３１は、図４に示すように、各スピーカー２０の識別情報ＩＤ１とスピーカー２０の位置情報とを対応させたテーブルである。音声出力制御指示部３１３は、スピーカー情報テーブル３３１を参照して、対象となるスピーカー２０に音声出力の変更を指示する。音声状態記憶部３３３は、各スピーカー２０の音声状態を示すパラメータ（例えば、出力音量、音声の周波数特性、ダイナミックレンジ等を示す各種パラメータ、音声出力がＯＮかＯＦＦかの情報等）を記憶する。この音声状態は、音声出力制御指示部３１３により指示された変更に応じて更新されたり、或いは、音声出力を制御する放送装置１０から情報を取得して更新するようにしてもよい。
【００２４】
通信部３７は、ネットワークＮＷに接続するためのインターフェースであり、例えばネットワークカード等である。通信部３７は、ＬＡＮ等、管理装置３０が設置される構内ネットワークを介してインターネットに接続される。
【００２５】
（１−１−４．端末装置の構成）
図５は、端末装置５０の構成を概略的に示す。端末装置５０は、例えばスマートフォンやその他の携帯端末であり、施設内のユーザによって携帯されたり使用されたりするコンピュータ装置である。端末装置５０は、プロセッサ５１、記憶部５３、音声入力部５５、表示部５６、通信部５７、及び入力操作部５８を備える。
【００２６】
プロセッサ５１は、ＣＰＵ、ＤＳＰ等の信号処理回路である。プロセッサ５１は、ＲＯＭ（図示省略）や記憶部５３に記憶されたアプリケーションプログラムをＲＡＭ（図示省略）に読み出して実行することにより、端末装置５０の各部を制御する。プロセッサ５１は、例えば、プログラムに従って、識別情報抽出部５１１と、音声変更指示生成部５１３と、音声状態取得部５１５の機能を実行する。識別情報抽出部５１１は、後述するように、スピーカー２０から取得した音声信号に含まれる識別情報ＩＤ１を抽出する。音声変更指示生成部５１３は、表示部５６に表示される操作インターフェース５６０（図６）に従って入力されたスピーカー２０の音声出力の変更の指示を生成する。この音声出力変更指示は、特定された操作対象のスピーカー２０の識別情報ＩＤ１と、入力操作により入力された音声出力のパラメータとを含む。音声状態取得部５１５は、操作対象のスピーカー２０の音声状態を管理装置３０より取得し、表示部５６に表示させる。
【００２７】
記憶部５３は、半導体メモリ等により構成され、スピーカー情報記憶部５３１、音声状態記憶部５３３、及びアプリ記憶部５３５を含む。スピーカー情報記憶部５３１は、管理装置３０より受信したスピーカー情報テーブルを格納する。音声状態記憶部５３３は、管理装置３０より受信した、捜査対象のスピーカー２０の音声状態を記憶する。アプリ記憶部５３５は、上記プロセッサの機能を実行するプログラムを格納する。音声入力部５５は、マイク等であり、スピーカー２０からの音声を収音する。
【００２８】
表示部５６は、プロセッサ５１で取得又は生成された情報を表示するＬＣＤや有機ＥＬディスプレイ等の表示画面を含む。例えば、表示部５６は、図６に示すように、操作対象となるスピーカー２０の音声出力の変更を操作するための操作インターフェース５６０を表示する。操作インターフェース５６０は、音量調整ボタン５６１、イコライザボタン５６２、コンプレッサ（又はリミッタ）ボタン５６３、ミュートボタン５６４を含み、各ボタンを選択することにより、出力音量の変更、音声の周波数特性の変更、ダイナミックレンジの変更、音声出力のＯＮとＯＦＦ等のいずれを行うかを選択できる。操作インターフェース５６０はまた、ボタンの選択に応じて、出力音量の変更、音声の周波数特性の変更、ダイナミックレンジの変更等を操作できるバー５６５を含む。このバー５６５の位置をユーザ操作により変更することにより、数値に応じたパラメータが入力される。操作インターフェース５６０はさらに、操作対象となるスピーカー２０を特定する特定情報５６７を表示する。特定情報５６７は、各スピーカー２０に対して一意に割り当てられた識別情報（番号や文字）であってもよいし、スピーカー２０の位置を示す情報であってもよい。
【００２９】
通信部５７は、ネットワークＮＷに接続するためのインターフェースであり、例えば無線通信用のアンテナである。通信部５７は、ネットワークＮＷを介して管理装置３０に接続される。
【００３０】
入力操作部５８は、ユーザによる操作入力を受け付ける手段であって、例えば、キーボード、マウス、スイッチ、表示部５６に配されるタッチパネル等である。
【００３１】
（１−２．動作）
（１−２−１．放送装置の動作）
図７及び図８を参照しながら、放送装置１０の動作について説明する。音声取得部１１３は、音声データ記憶部１３１より第１音声信号に対応する音声データを取得する（Ｓ１１１）。音声透かし処理部１１１は、第１音声信号に、スピーカーの識別情報ＩＤ１を埋め込み、第２音声信号を生成する（Ｓ１１２）。
【００３２】
音声透かし処理部１１１は、例えば公知のエコー拡散法を用いて第１音声信号に、識別情報ＩＤ１を埋め込む。エコー拡散法は、元の音声信号に対し、人間が気にならない程度の遅延時間のエコーをかけ、遅延時間を付加データとして送る手法である。エコー拡散法では、図８に示すように、遅延量が異なるエコー成分のエコーカーネルを、畳み込み演算により第１音声信号Ｓ１に重畳し、埋め込む。これにより、第１音声信号Ｓ１に識別情報ＩＤ１が重畳され、第２音声信号Ｓ２が生成される。
【００３３】
音声取得部１１３は、生成された第２音声信号を取得し、音声出力制御部１１５は、対応するスピーカー２０（埋め込んだ識別情報ＩＤ１のスピーカー）に対し、生成された第２音声信号を出力する（Ｓ１１３）。なお、第１音声信号と第２音声信号は、人間の聴覚レベルでは、違いが気にならない程度の音声として聞き取られる。
【００３４】
例えば、図１に示すように、施設の１階においてユーザの端末装置５０ａは、近くのスピーカー２０ａからの第２音声信号を収音する。この第２音声信号には、スピーカー２０ａの識別情報ＩＤ１“Ａ１００２”（図４）が埋め込まれている。同様に、施設の３階においてユーザの端末装置５０ｂは、近くのスピーカー２０ｂからの第２音声信号を収音する。この第２音声信号には、スピーカー２０ｂの識別情報ＩＤ１“Ａ３００５” （図４）が埋め込まれている。
【００３５】
音声出力制御部１１５は、音声出力制御指示を管理装置３０から受信した場合（Ｓ１１４のＹｅｓ）、当該指示応じて指定されたスピーカー２０の音声出力を変更する（Ｓ１１５）。
【００３６】
（１−２−２．管理装置の動作）
図９を参照しながら、管理装置３０の動作について説明する。管理装置３０は、端末装置５０よりアクセスがあった場合（Ｓ１３１のＹｅｓ）、端末装置５０と接続される（Ｓ１３２）。なお、このとき、管理装置３０は、予め登録されたユーザ情報に応じて、端末装置５０の認証処理を行ってもよい。
【００３７】
スピーカー情報送信部３１１は、端末装置５０よりスピーカー情報要求を受信した場合（Ｓ１３３のＹｅｓ）、記憶部３３のスピーカー情報テーブル３３１を端末装置５０に送信する（Ｓ１３４）。音声出力制御指示部３１３は、端末装置５０より音声出力変更指示を受信した場合（Ｓ１３５のＹｅｓ）、同指示内容に応じた音声出力制御指示を生成し、放送装置１０に送信する（Ｓ１３６）。この音声出力制御指示は、端末装置５０からの音声出力変更指示により特定された操作対象のスピーカー２０の識別情報ＩＤ１と、変更される音声出力のパラメータとを含む。音声状態更新部３１５は、音声出力の変更に応じてスピーカー２０の音声状態を更新する（Ｓ１３７）。
【００３８】
例えば、図１に示す施設の１階においてユーザの端末装置５０ａからアクセスがあった場合は、管理装置３０は、端末装置５０ａにスピーカー情報テーブルを送信する。管理装置３０は、ユーザによる端末装置５０ａの操作に応じて、スピーカー２０ａの音声出力変更指示を受信し、同指示に応じて放送装置１０にスピーカー２０ａの音声出力の制御を指示する。
【００３９】
（１−２−３．端末装置の動作）
図１０を参照しながら、端末装置５０の動作について説明する。なお、端末装置５０においては、アプリ記憶部５３５に記憶された所定のアプリケーションが起動されているものとする。
【００４０】
端末装置５０は、上述したように管理装置３０にアクセスしてネットワークＮＷを介して管理装置３０と通信可能な状態となる（Ｓ１５１）。端末装置５０はまず、スピーカー情報テーブルの要求を管理装置３０に送信する（Ｓ１５２）。管理装置３０よりスピーカー情報テーブルを受信し、記憶部５３に記憶する（Ｓ１５３）。
【００４１】
端末装置５０は、スピーカー２０から音声信号（第２音声信号）を収音した場合（Ｓ１５４のＹｅｓ）、当該音声信号から識別情報ＩＤ１の抽出処理を行う（Ｓ１５５）。例えば、図１に示すように、施設の１階にいるユーザの端末装置５０ａの場合、近くのスピーカー２０ａから第２音声信号を収音する。この第２音声信号から、識別情報ＩＤ１“Ａ１００２”が抽出される。同様に、施設の３階にいるユーザの端末装置５０ｂの場合、近くのスピーカー２０ｂから第２音声信号を収音する。この第２音声信号から、識別情報ＩＤ１“Ａ３００５”が抽出される。
【００４２】
識別情報ＩＤ１の抽出処理は、公知のエコー拡散法の抽出によって行われる。具体的には、識別情報抽出部５１１は、スピーカー２０から取得した第２音声信号を取得し、窓関数をかけて、ＦＦＴ（高速フーリエ変換）後に対数をとり、さらに逆ＦＦＴの演算を実行して、いわゆるケプストラムを求める。このケプストラムとエコー成分の相互相関を窓長毎に計算することにより、埋め込んだ音声透かし情報である識別情報ＩＤ１が再現され、抽出される。
【００４３】
識別情報抽出部５１１は、識別情報ＩＤ１を抽出できた場合（Ｓ１５６のＹｅｓ）、記憶部５３に記憶されたスピーカー情報テーブルを参照して、抽出された識別情報ＩＤ１に対応するスピーカー２０があるかどうかを判定する（Ｓ１５７）。識別情報ＩＤ１に対応するスピーカー２０がある場合、音声変更指示生成部５１３は、表示部５６に図６に示す操作インターフェース５６０を表示させる（Ｓ１５８）。また、端末装置５０は、表示部５６において、スピーカー２０が特定された旨のメッセージを表示させてもよい。例えば、上記端末装置５０ａの場合「１Ｆ△〇店舗（１０２）前廊下のエレベーターを特定しました」、端末装置５０ｂの場合「３Ｆエレベーター前フロアのエレベーターを特定しました」等のメッセージを表示部５６に表示させる。これにより、ユーザは操作対象となるスピーカー２０をより確実に認識できる。なお、メッセージは端末装置５０が備えるスピーカー等の音声出力手段（図示省略）から音声で出力されてもよい。
【００４４】
操作インターフェース５６０を介して音声出力の変更を入力操作部５８が受け付けると（Ｓ１５９）、音声変更指示生成部５１３は当該音声出力の変更の指示を生成し、管理装置３０に送信する（Ｓ１６０）。この音声出力変更指示は、特定された操作対象のスピーカー２０の識別情報ＩＤ１と、入力操作部５８が受け付けた変更される音声出力のパラメータとを含む。この結果、ユーザは端末装置５０ａを操作してスピーカー２０ａの音声出力を変更できる。また、同様に、施設の３階において端末装置５０ｂが操作されることによりスピーカー２０ｂの音声出力を変更できる。
【００４５】
一方、ステップＳ１５６において識別情報ＩＤ１を抽出できなかった場合、又はステップＳ１５７において抽出した識別情報ＩＤ１に対応するスピーカー２０がなかった場合、対応するスピーカーが特定できなかった旨のメッセージが、表示部５６又は音声により出力される（Ｓ１６１）。
【００４６】
（１−３．特徴等）
上記実施形態に係る放送システム１は、ユーザの端末装置５０によって、スピーカー２０の識別情報ＩＤ１を埋め込んだ音声信号を収音し、同音声信号から抽出された識別情報ＩＤ１により特定されるスピーカー２０の音声出力の変更を指示する。このため、操作対象となるスピーカー２０のすぐ近くにある端末装置５０によってスピーカー２０の音声出力を調整可能となり、操作対象のスピーカー２０を間違えるリスクを減らし、且つ音声出力の調整結果をユーザがすぐに確認できる。よって、より確実且つ容易に各スピーカー２０の音声出力の調整を行うことができる。
【００４７】
また、端末装置５０によって、操作対象のスピーカー２０の特定情報を出力するため、ユーザは操作対象のスピーカーをより確実に確認することができる。
【００４８】
（その他実施形態）
（１）
図１０において、操作対象のスピーカー２０が特定できない場合、端末装置５０は、ＧＰＳ情報、無線通信のアクセスポイントからの情報、またはユーザの入力により、自身の位置情報を管理装置３０に送信してもよい。管理装置３０は、端末装置５０の位置情報とスピーカー情報テーブル３３１におけるスピーカー位置情報とに基づき、特定されるスピーカー２０の識別情報を端末装置５０に送信する。
【００４９】
（２）
上記実施形態において、一つの端末装置５０によって複数のスピーカー２０からの音声信号を収音した場合、端末装置５０は、例えば、音圧を測定し、より音圧が高い音声信号を選択して識別情報ＩＤ１を抽出するようにしてもよい。
【００５０】
（３）
上記実施形態においては、管理装置３０から端末装置５０にスピーカー情報テーブルを送信しているが、これに限定されない。管理装置３０は、端末装置５０からの指示に基づき操作対象のスピーカー２０を特定し、当該スピーカー２０の位置情報と音声状態を示す情報とを送信するようにしてもよい。
【００５１】
（４）
上記実施形態においては、音声透かし処理（音声透かし情報の埋め込み処理と抽出処理）としてエコー拡散法を例にしているがこれに限定されない。公知の周期的位相変調法、或いは公知のスペクトル拡散法等を用いて音声透かし処理を実行してもよい。
【００５２】
（５）
上記実施形態においては、音声透かし処理部１１１を放送装置１０に設けているが、管理装置３０に設けてもよい。この場合、管理装置３０によって識別情報ＩＤ１を埋め込んだ第２音声信号を生成し、放送装置１０に送信するようにしてもよい。
【００５３】
音声透かし処理部１１１の配置に応じて、記憶部１３の音声データ記憶部１３１を管理装置３０に設けてもよい。
【００５４】
（６）
上記実施形態においては、識別情報抽出部５１１を端末装置５０に設けているが、管理装置３０に設けてもよい。この場合、端末装置５０はスピーカー２０から収音した第２音声信号を管理装置３０に送信し、管理装置３０が第２音声信号から識別情報ＩＤ１を抽出する。管理装置３０は、抽出した識別情報ＩＤ１を端末装置５０に送信する。
【００５５】
（７）
管理装置３０は、サーバに代えて、クラウドコンピューティングを実現する複数の装置であってもよい。
【００５６】
（８）
管理装置３０は、遠隔に配置されていてもよいし、放送システム１が適用される施設や交通機関に設置されてもよい。
【産業上の利用可能性】
【００５７】
本発明は、施設や交通機関において利用される放送システムとして適用可能である。
【符号の説明】
【００５８】
１…放送システム、１０…放送装置、１１，３１，５１…プロセッサ、１３,３３,５３…記憶部、１５…Ｄ／Ａ変換部、１６…アンプ、１７,３７,５７…通信部、２０…スピーカー、３０…管理装置、５０…端末装置、５５…音声入力部、５６…表示部、５８…入力操作部、１１１…音声透かし処理部、１１３…音声取得部、１１５…音声出力制御部、１３１…音声データ記憶部、１３３…スピーカー情報記憶部、３１１…スピーカー情報送信部、３１３…音声出力制御指示部、３１５…音声状態更新部、３３１…スピーカー情報テーブル、３３３…音声状態記憶部、５１１…識別情報抽出部、５１３…音声変更指示生成部、５１５…音声状態取得部、５３１…スピーカー情報記憶部、５３３…音声状態記憶部、５３５…アプリ記憶部
【図１】
2020068403.tif 000003
【図２】
2020068403.tif 000004
【図３】
2020068403.tif 000005
【図４】
2020068403.tif 000006
【図５】
2020068403.tif 000007
【図６】
2020068403.tif 000008
【図７】
2020068403.tif 000009
【図８】
2020068403.tif 000010
【図９】
2020068403.tif 000011
【図１０】
2020068403.tif 000012
【手続補正書】
【提出日】令和2年3月6日(2020.3.6)
【手続補正１】
【補正対象書類名】明細書
【補正対象項目名】００３５
【補正方法】変更
【補正の内容】
【００３５】
音声出力制御部１１５は、音声出力制御指示を管理装置３０から受信した場合（Ｓ１１４のＹｅｓ）、当該指示に応じて指定されたスピーカー２０の音声出力を変更する（Ｓ１１５）。